(57)【要約】【課題】粉体が湿潤する際の強い固着による閉塞を解消し、粉体を液中に連続供給することができるようにした粉体供給装置を提供すること。【解決手段】液体が流れ得る配管に接続された粉体供給管を具備してなる粉体供給装置であって、粉体供給管と平行方向にピストン運動可能なニードルが、粉体供給管の内側に具備してなることを特徴とする粉体供給装置。また、液体が流れ得る配管に接続された粉体供給管と平行方向にピストン運動可能なニードルが内側に具備された粉体供給管を通じて粉体を配管に供給し、配管中に流れる液体と混合することを特徴とする粉体供給方法。【選択図】図１
2017104783.tif 000002
【特許請求の範囲】
【請求項１】
液体が流れ得る配管に接続された粉体供給管を具備してなる粉体供給装置であって、粉体供給管と平行方向にピストン運動可能なニードルが、粉体供給管の内側に具備してなることを特徴とする粉体供給装置。
【請求項２】
液体が流れ得る配管に接続された粉体供給管と平行方向にピストン運動可能なニードルが内側に具備された粉体供給管を通じて粉体を配管に供給し、配管中に流れる液体と混合することを特徴とする粉体供給方法。
【発明の詳細な説明】
【技術分野】
【０００１】
本発明は、粉体供給装置に関し、粉体、特に、湿潤固着しやすい粉体を、詰まりなく液体配管中に連続供給するための粉体供給装置に関するものである。
【背景技術】
【０００２】
従来、粉体と液体を混合し、該混合した混合液を溶解装置に供給する粉体供給装置として、粉体及び液体をエゼクター部に供給し、当該エゼクター部において混合するようにした装置が提案されている（例えば、特許文献１参照）。また、先述エゼクターの粉体詰まりを解消する機構を有する装置も提案されている（例えば、特許文献２参照）。
しかしながら、従来のエゼクター部を備えた装置は、粉体及び液体をエゼクター部において衝突させるようにして混合するようにしているため、特に、湿潤固化しやすい粉体の場合、液体の飛沫と接触することによって湿潤固化した粉体がエゼクター部等の粉体の供給路に徐々に堆積し、ひいては、粉体の供給路が閉塞することとなるため、定期的に装置の運転を停止してメンテナンスを行う必要があり、作業効率及び生産効率が低下とするという問題があった。また、特許文献２の様なミキシングノズルを設けることによりある程度解消することが可能だが、粉体が樹脂のように、液体との接触によって一部溶解したり、膨潤しやすい樹脂等の場合、粉体が湿潤固化した際の強い固着は防止できないという問題があった。
【先行技術文献】
【特許文献】
【０００３】
【特許文献１】特開平１０−２３０１５１号公報
【特許文献２】ＷＯ２０１１/１０４８４１
【発明の開示】
【発明が解決しようとする課題】
【０００４】
本発明が解決しようとする課題は、上記従来の粉体供給装置が有する問題点に鑑み、樹脂等を含んだ粉体が湿潤する際の強い固着による閉塞を解消し、粉体を液中に連続供給することができるようにした粉体供給装置を提供することを目的とする。
【課題を解決するための手段】
【０００５】
上記課題を解決するため、本発明の粉体供給装置は、液体が流れ得る配管に粉体供給管が設けられ、該供給管の内側に該供給管と平行にピストン運動可能なニードルを設けたことを特徴とする。
【発明の効果】
【０００６】
本発明によって、樹脂等のように湿潤によって膨潤や固着しやすい粉体が湿潤する際の強い固着による閉塞が解消され、粉体を液中に連続供給することができる粉体供給装置を提供できるようになった。
【図面の簡単な説明】
【０００７】
【図１】本発明の粉体供給装置の一態様を示す断面図である。
【図２】図１に示される粉体供給装置において、ニードルがピストン運動によって移動した状態を示す断面図である。
【図３】図１に示される粉体供給装置において、粉体供給管の出口側にテーパーをつけ、ニードルと内接させた断面図である。
【図４】図１に示される粉体供給装置において、ニードルが多段尖頭状及び粉体供給スクリューを設置された断面図である。
【発明を実施するための形態】
【０００８】
以下、本発明の粉体供給装置の実施の形態を、図面に基づいて説明する。図１〜図４ に、本発明の粉体供給装置の実施例を示す。
【０００９】
この粉体供給装置は、液体の流れ得る配管１に粉体供給管２を接続し、該供給管２の内側にニードル３が設置されている。該供給管２の内側に設置された該ニードル３は、該供給管２と平行方向にピストン運動させることが可能な構造である。該配管１の左方から液体が流れると、該供給管２に負圧がかかるような構造となっており、これによって該供給管２の粉体が供給可能になると共に、該供給管２への液の逆流を防止する。該ニードル３のピストン運動は少なくとも、該ニードル３が図１の様に完全に該供給管２の内側に収まる位置から、図２の様に先端が該供給管２の外に飛び出す位置まで動くことで、粉体と液体が接触して固着した場合でもニードルが掘削し、ニードル上部から巻き込んできた粉体によってニードルより広い範囲を押し出すことで、固着物を液体中に確実に送り出すことができ、粉体供給管２の閉塞を未然に防ぐことができる。
【００１０】
また、運転開始前や運転終了後に該配管１中の液体の流れが止まった際に、該供給管２への逆流を防止する為、図３の様な該ニードル３の軸より先端が細いテーパー４を該供給管２に設け、該ニードル３をピストン運動とは別に該供給管２と平行方向にスライドさせることが可能な構造にすることで、該ニードル３で該テーパー４に栓をすることが可能となる。
【００１１】
更に、図４の様にニードル３に多段尖頭形状５を設けることで、テーパー４の狭い出口に対応することが可能となる。更に図４の様な粉体供給スクリュー６をニードル３の軸に設け、ニードル３にピストン運動とは別に回転運動が可能な機構を設けることで、粉体供給に定量性を付与することができる。
【００１２】
本発明の粉体供給装置によれば、液体が流れ得る配管に接続された粉体供給管の内側に、該供給管と平行方向にピストン運動可能なニードルを設ける。これにより、ニードルが粉体供給管の出口付近に固着した粉体を液体側へ押し出すので、粉体供給管の閉塞を未然に防ぐとともに、閉塞した場合でも装置を停止することなく解消することができる。
【００１３】
この場合において、ニードルはその形状からピストン運動の方向より若干外向方向に粉体へ運動エネルギーを伝える為、ニードルが粉体供給管よりある程度細くても粉体供給管の出口に固着した粉体も押し出すことが可能である。また、ニードルは高い貫通力を有するので、粉体供給管出口の閉塞層を貫通し押し広げ、層を崩すことができる。
【００１４】
仮に、ニードル部分が円柱状であった場合、運動エネルギーはピストン運動と同一方向にしか伝わらず、粉体供給管の内径に近い太さでなければ、粉体供給管の出口に固着した粉体を押し出すことが出来ず、そうした場合、そもそも粉体の連続供給ができなくなってしまう。また、閉塞した場合、層を貫通できないどころか逆に押し固めてしまい、更に強固な層を形成してしまう。以上の様な理由から、粉体供給管の内側に設置するのはニードルであることが望ましい。
【符号の説明】
【００１５】
１  液体が流れ得る配管
２  粉体供給管
３  ピストン運動可能なニードル
４  粉体供給管出口側テーパー
５  多段尖頭形状ニードル
６  粉体供給スクリュー
【図１】
2017104783.tif 000003
【図２】
2017104783.tif 000004
【図３】
2017104783.tif 000005
【図４】
2017104783.tif 000006